(57)【要約】【課題】収納空間に収納される商品の温度管理を促すこと。【解決手段】可搬で収納庫１２が前面扉２０により開閉可能なものであり、かつ内蔵する蓄冷材１４により収納庫１２の内部雰囲気が冷却されることによって収納庫１２に収納される商品を冷却することが可能な収容庫において、収納庫１２の庫内温度を検出する庫内温度センサＳ１と、所定時間における庫内温度センサＳ１の検出結果から庫内温度の温度勾配を演算し、演算した温度勾配から該庫内温度が予め設定された基準温度に到達するまでの残冷却時間を算出して、残冷却時間を報知する制御部３０とを備えている。また制御部３０は、残冷却時間を表示部２１に表示させて報知することが好ましい。【選択図】図１
2018063085.tif 000002
【特許請求の範囲】
【請求項１】
可搬で収納空間が扉体により開閉可能なものであり、かつ内蔵する蓄冷材により前記収納空間の内部雰囲気が冷却されることによって該収納空間に収納される商品を冷却することが可能な収容庫において、
前記収納空間の内部温度を検出する内部温度検出手段と、
所定時間における前記内部温度検出手段の検出結果から前記内部温度の温度勾配を演算し、演算した温度勾配から該内部温度が予め設定された基準温度に到達するまでの残冷却時間を算出して、残冷却時間を報知する制御手段と
を備えたことを特徴とする収容庫。
【請求項２】
前記制御手段は、前記残冷却時間を表示手段に表示させて報知することを特徴とする請求項１に記載の収容庫。
【発明の詳細な説明】
【技術分野】
【０００１】
本発明は、収容庫に関するものであり、より詳細には、例えば生鮮食品等の輸送等に用いられる収容庫に関するものである。
【背景技術】
【０００２】
従来、例えば生鮮食品等の輸送等に用いられる収容庫として、収容庫本体、蓄冷材及び冷却器を備えたものが知られている。
【０００３】
収容庫本体は、前面に開口が形成された直方状の断熱構造を有し、下部に配設されたキャスタにより移動可能なものである。この収容庫本体には、上記開口を開閉する断熱扉が設けられている。蓄冷材は、例えば平板状を成し、内部に蓄冷剤が収納されて構成されている。この蓄冷材は、収容庫本体の内部に配設されている。冷却器は、蓄冷材と熱的に接続した状態で配設されている。
【０００４】
このような構成を有する収容庫では、冷却器が冷凍機を内蔵する冷却ユニットから冷媒が供給される場合、該冷媒を冷却器で蒸発させて蓄冷材を冷却することにより、その後に、蓄冷材に蓄えられた熱を利用して収容庫内部の収納空間である収納室の内部空気を冷却し、該収納室に収納される商品を保冷することができる（例えば、特許文献１参照）。
【先行技術文献】
【特許文献】
【０００５】
【特許文献１】特開２０１４−１３７１５８号公報
【発明の概要】
【発明が解決しようとする課題】
【０００６】
ところで、上述した収容庫では、収納室の内部空気を冷却することで該収納室に収納される商品を保冷することができるものの、収納室の内部温度を予め決められた基準温度以下に維持することが可能な時間等については算出していなかった。そのため、かかる収容庫に収納される商品の温度管理が不十分なものとなる虞れがあった。
【０００７】
本発明は、上記実情に鑑みて、収納空間に収納される商品の温度管理を促すことができる収容庫を提供することを目的とする。
【課題を解決するための手段】
【０００８】
上記目的を達成するために、本発明に係る収容庫は、可搬で収納空間が扉体により開閉可能なものであり、かつ内蔵する蓄冷材により前記収納空間の内部雰囲気が冷却されることによって該収納空間に収納される商品を冷却することが可能な収容庫において、前記収納空間の内部温度を検出する内部温度検出手段と、所定時間における前記内部温度検出手段の検出結果から前記内部温度の温度勾配を演算し、演算した温度勾配から該内部温度が予め設定された基準温度に到達するまでの残冷却時間を算出して、残冷却時間を報知する制御手段とを備えたことを特徴とする。
【０００９】
また本発明は、上記収容庫において、前記制御手段は、前記残冷却時間を表示手段に表示させて報知することを特徴とする。
【発明の効果】
【００１０】
本発明によれば、制御手段が、所定時間における内部温度検出手段の検出結果から内部温度の温度勾配を演算し、演算した温度勾配から該内部温度が予め設定された基準温度に到達するまでの残冷却時間を算出して、残冷却時間を報知するので、管理者等に対して基準温度以下に保冷可能な時間を認識させることができ、これにより、収納空間に収納される商品の温度管理を促すことができるという効果を奏する。
【図面の簡単な説明】
【００１１】
【図１】図１は、本発明の実施の形態である収容庫を模式的に示す模式図である。
【図２】図２は、図１に示した収容庫の特徴的な制御系を模式的に示すブロック図である。
【図３】図３は、図１及び図２に示した制御部が実施する残冷却時間算出処理の処理内容を示すフローチャートである。
【図４】図４は、図３に示した温度勾配演算処理の処理内容を示すフローチャートである。
【発明を実施するための形態】
【００１２】
以下に添付図面を参照して、本発明に係る収容庫の好適な実施の形態について詳細に説明する。
【００１３】
図１は、本発明の実施の形態である収容庫を模式的に示す模式図である。ここで例示する収容庫は、内部に収容された商品を所望の温度に冷却した状態に保持するためのもので、本体キャビネット１０と、前面扉（扉体）２０とを備えて構成されている。
【００１４】
本体キャビネット１０は、前面に開口（以下、前面開口ともいう）１１が形成された直方体状の形態を成しており、該前面開口１１を臨む態様で断熱構造の収納庫（収納空間）１２が設けられている。
【００１５】
この本体キャビネット１０の底部の下面にはキャスタ１３が配設されており、これにより本体キャビネット１０は移動可能（可搬可能）なものである。
【００１６】
かかる本体キャビネット１０の内部には蓄冷材１４及び冷却器１５が設けられている。蓄冷材１４は、例えばポリエチレン等の樹脂製のケース内に、水及びゲル化剤等の公知の蓄冷剤が封入されて構成されたものである。
【００１７】
冷却器１５は、蓄冷材１４に熱的に接続された状態で設置されている。この冷却器１５は、図には明示しないが、冷媒が通過するための冷媒通路が形成されており、本体キャビネット１０における収納庫１２の外部に設置された冷却ユニット１６との間で冷媒の循環が可能な態様で接続されている。ここで冷却ユニット１６は、本体キャビネット１０が図示せぬ電源装置に電気的に接続される場合に駆動するもので、内蔵する圧縮機で圧縮した冷媒を凝縮器で凝縮させ、その後に膨張機構で減圧膨張させた冷媒を冷却器１５に供給するものである。これにより、冷却器１５では、冷媒通路を通過する冷媒が蒸発することで蓄冷材１４を冷却することができる。
【００１８】
前面扉２０は、本体キャビネット１０の前面開口１１を覆うのに十分な大きさを有している。この前面扉２０は、左側縁部が図示せぬヒンジ機構を介して本体キャビネット１０に取り付けられており、揺動することで収納庫１２を開閉させるものである。また、前面扉２０は、内部に断熱材が配設されることで断熱構造を有している。
【００１９】
図２は、図１に示した収容庫の特徴的な制御系を模式的に示すブロック図である。この図２に示すように、収容庫は、表示部２１、庫内温度センサＳ１、扉検出センサＳ２及び制御部（制御手段）３０を備えている。
【００２０】
表示部２１は、前面扉２０の前面に設けられた表示手段である。庫内温度センサＳ１は、収納庫１２の内部に設けられており、該収納庫１２の庫内温度（内部温度）を検出する内部温度検出手段である。この庫内温度センサＳ１は、庫内温度を検出した場合に、検出した庫内温度を庫内温度信号として制御部３０に送出するものである。
【００２１】
扉検出センサＳ２は、前面扉２０が開く方向に揺動された場合にオン状態となり、オン信号を制御部３０に送出するものである。
【００２２】
制御部３０は、図示せぬバッテリーにより駆動するものであり、メモリ３６に記憶されたプログラムやデータに従って後述する残冷却時間算出処理を実施するものである。この制御部３０は、通信処理部３１、入力処理部３２、演算処理部３３、算出処理部３４及び出力処理部３５を備えて構成されている。
【００２３】
尚、制御部３０は、例えば、ＣＰＵ（Ｃｅｎｔｒａｌ  Ｐｒｏｃｅｓｓｉｎｇ  Ｕｎｉｔ）等の処理装置にプログラムを実行させること、すなわち、ソフトウェアにより実現してもよいし、ＩＣ（Ｉｎｔｅｇｒａｔｅｄ  Ｃｉｒｃｕｉｔ）等のハードウェアにより実現してもよいし、ソフトウェア及びハードウェアを併用して実現してもよい。
【００２４】
通信処理部３１は、当該収容庫が搭載される例えばトラック等の車両の保冷庫の温度管理を行う上位機器４０との間でデータの送受信を行うものである。
【００２５】
入力処理部３２は、庫内温度センサＳ１から送出された庫内温度信号や、扉検出センサＳ２から送出されたオン信号を入力するものである。
【００２６】
演算処理部３３は、予め設定された設定時間（所定時間）における庫内温度センサＳ１の検出結果から収納庫１２の庫内温度の温度勾配を演算するものである。
【００２７】
算出処理部３４は、メモリ３６から基準温度情報を読み出して、演算処理部３３を通じて演算された温度勾配から庫内温度が基準温度情報に含まれる基準温度に到達するまでの残冷却時間（冷却可能時間）を算出するものである。
【００２８】
ここで基準温度情報に含まれる基準温度は、収納庫１２の庫内温度において許容される上限温度（例えば、マイナス２０℃程度）である。
【００２９】
出力処理部３５は、表示部２１に表示指令を送出することにより、算出処理部３４を通じて算出された残冷却時間を表示部２１に表示させるものである。
【００３０】
以上のような構成を有する収容庫においては、本体キャビネット１０が電源装置に接続される場合には、冷却ユニット１６が駆動することにより蓄冷材１４が冷却器１５を介して冷却される。
【００３１】
このようにして蓄冷材１４が十分に冷却された場合、本体キャビネット１０を電源装置から離脱させ、収納庫１２に商品が収納された後、前面扉２０を閉じる方向に揺動させて本体キャビネット１０の前面開口１１を閉塞させる。
【００３２】
そして、かかる収容庫が、例えばトラック等の車両の保冷庫に搭載されることで、所定の目的地に向けて収納庫１２の商品を保冷した状態で運搬することができる。
【００３３】
上記収容庫では、扉検出センサＳ２が前面扉２０が開く方向に揺動することにより送出したオン信号を制御部３０が入力した場合、該制御部３０が通信処理部３１を通じて上位機器４０に前面開口１１が開放されたことを通知する。これにより、トラック等の車両の運転手であるオペレータに対して、本体キャビネット１０の前面開口１１が開放されたことを認識させることができる。
【００３４】
また収容庫の制御部３０は、上位機器４０から残冷却時間算出指令が与えられた場合、あるいは所定のタイムスケジュールに従って残冷却時間算出処理を実施する。
【００３５】
図３は、図１及び図２に示した制御部３０が実施する残冷却時間算出処理の処理内容を示すフローチャートである。かかる残冷却時間算出処理の処理内容を説明することにより、収容庫の動作について説明する。
【００３６】
この残冷却時間算出処理において制御部３０は、温度勾配演算処理を実施する（ステップＳ１１０）。
【００３７】
図４は、図３に示した温度勾配演算処理の処理内容を示すフローチャートである。この温度勾配演算処理において制御部３０は、入力処理部３２を通じて庫内温度センサＳ１からの庫内温度信号の入力待ちとなる（ステップＳ１１１）。
【００３８】
入力処理部３２を通じて庫内温度信号を入力した場合（ステップＳ１１１：Ｙｅｓ）、制御部３０は、予め設定された設定時間（例えば１０分間程度）の経過待ちとなる（ステップＳ１１２）。かかる設定時間が経過した場合（ステップＳ１１２：Ｙｅｓ）、制御部３０は、入力処理部３２を通じて庫内温度センサＳ１からの庫内温度信号の入力待ちとなる（ステップＳ１１３）。
【００３９】
そして、入力処理部３２を通じて庫内温度センサＳ１からの庫内温度信号を入力した場合（ステップＳ１１３：Ｙｅｓ）、制御部３０は、演算処理部３３を通じて収納庫１２の庫内温度の温度勾配を演算し（ステップＳ１１４）、その後に手順をリターンさせて今回の温度勾配演算処理を終了する。
【００４０】
このようにして温度勾配演算処理を実施した制御部３０は、算出処理部３４を通じて基準温度情報を読み出し（ステップＳ１２０）、ステップＳ１１０で演算された温度勾配から庫内温度が基準温度に到達するまでの残冷却時間を算出する（ステップＳ１３０）。
【００４１】
このようにして残冷却時間を算出した制御部３０は、出力処理部３５を通じて表示部２１に表示指令を送出するとともに（ステップＳ１４０）、通信処理部３１を通じて上位機器４０に残冷却時間を送出し（ステップＳ１５０）、その後に手順をリターンさせて今回の残冷却時間算出処理を終了する。
【００４２】
これによれば、表示部２１に残冷却時間を表示させて該残冷却時間を報知することができるとともに、上位機器４０に残冷却時間を送出してオペレータに報知することができる。
【００４３】
以上説明したように、本発明の実施の形態である収容庫によれば、制御部３０が、設定時間における庫内温度センサＳ１の検出結果から庫内温度の温度勾配を演算し、演算した温度勾配から該庫内温度が基準温度に到達するまでの残冷却時間を算出して、残冷却時間を表示部２１に表示させつつ上位機器４０に送出して管理者等に残冷却時間を報知するので、管理者等に対して基準温度以下に保冷可能な時間を認識させることができる。これにより、所定の目的地に向けての運搬時間の調整を図ったり、当該収容庫が搭載される保冷庫の温度を管理したり等の収納庫１２に収納される商品の温度管理を促すことができる。
【００４４】
以上、本発明の好適な実施の形態について説明したが、本発明はこれに限定されるものではなく、種々の変更を行うことができる。
【００４５】
上述した実施の形態では、収容庫は、冷却ユニット１６が設置されていたが、本発明においては、冷却ユニットは、収容庫に分離した装置に収容された状態で設けられていて、必要に応じて冷却器に接続されるものであってもよい。
【符号の説明】
【００４６】
１０  本体キャビネット
１１  前面開口
１２  収納庫
１３  キャスタ
１４  蓄冷材
１５  冷却器
１６  冷却ユニット
２０  前面扉
２１  表示部
３０  制御部
３１  通信処理部
３２  入力処理部
３３  演算処理部
３４  算出処理部
３５  出力処理部
３６  メモリ
４０  上位機器
Ｓ１  庫内温度センサ
Ｓ２  扉検出センサ
【図１】
2018063085.tif 000003
【図２】
2018063085.tif 000004
【図３】
2018063085.tif 000005
【図４】
2018063085.tif 000006